(57)【特許請求の範囲】
【請求項１】
立方骨端部の楔立方関節部近傍から第２中足骨と第３中足骨間のＭＰ関節部の基節骨近傍までの部位に当接し、当該部位を盛り上げてアーチ状に保持する隆起面が形成されるとともに、前記ＭＰ関節部に対してはＭＰ関節が嵌合する凹部が形成されてなる
ことを特徴とする履物中敷。
【請求項２】
前記隆起面の先端となる第２中足骨と第３中足骨間のＭＰ関節部の基節骨近傍から踵骨祖面までの長さをＡとし、隆起面の後端となる立方骨端部の楔立方関節部近傍から垂直にみた隆起高さをＢとすると、Ａ：Ｂ＝３〜３０：１の比率となるように隆起面を形成した
ことを特徴とする請求項１記載の履物中敷。
【請求項３】
立方骨端部の楔立方関節部近傍から第２中足骨と第３中足骨間のＭＰ関節部の基節骨近傍までの部位に当接し、当該部位を盛り上げてアーチ状に保持する隆起面が形成されるとともに、前記ＭＰ関節部に対してはＭＰ関節が嵌合する凹部が形成されてなる履物内底面を有する
ことを特徴とする履物。
【請求項４】
前記隆起面の先端となる第２中足骨と第３中足骨間のＭＰ関節部の基節骨近傍から踵骨祖面までの長さをＡとし、隆起面の後端となる立方骨端部の楔立方関節部近傍から垂直にみた隆起高さをＢとすると、Ａ：Ｂ＝３〜３０：１の比率となるように隆起面を形成した
ことを特徴とする請求項３記載の履物。
【発明の詳細な説明】
【技術分野】
【０００１】
本発明は、足部のアーチ構造の調整や機能補強を行うことができ、偏平足や外反母趾等の下肢疾患の予防や治療に効果を発揮できる履物の中敷及び履物に関する。
【背景技術】
【０００２】
起立時や歩行時において、骨格のゆがみなどにより、繰り返し荷重が過度に足部にかかり続けると、いわゆる外反母趾や偏平足などのアライメント異常や下肢疾患を引き起こす原因となり、その症状が悪化すれば歩行自体が困難になるなど日常生活そのものが維持できなくなる重要な問題を招く。そこで、足の骨格と形態を分析して足部の機能障害を予防、治療する目的の中敷や履物が各種提案されている。
【０００３】
例えば、歩行時における足部への荷重の移動方向に着目し、独自の理論により下肢疾患の治療や予防に用いることができる履物が提案されている（特許文献１参照）。また、足部のアーチ構造の調整を行うことができるとして、足の機能を補強することが出来る靴及び靴中敷が提案されている（特許文献２参照）。その他、足の骨格構造の分析に応じて各種の履物や中敷が提案されている。
【特許文献１】特開２００５−３４７号公報
【特許文献２】特開平９-２２４７０３号公報
【発明の開示】
【発明が解決しようとする課題】
【０００４】
しかしながら、従来から提案されている履物や中敷において、外反母趾などのアライメント異常や足部の機能障害を予防、治療する目的で各種の解決手段が提案されていても、足部の基本概念と機能に基づいて解決策を講じない限り、根本的な解決はなされないものである。
【０００５】
人間の足部は、図６（ａ）（ｂ）に示すように、複数の骨から構成され、複雑に機能して、不整地への適応、体重や体の移動によって生じた力を地表に伝達するようにアーチ構造が形成されている。一般的には同図に示すように、内側縦アーチ（舟状骨を頂点として後方は踵骨の接地点から前方は第１中足骨でつくる弧）、外側縦アーチ（立方骨を頂点として後方は踵骨の接地点から前方は第５中足骨でつくる弧）、横アーチ（中足骨でつくる弧）から形成されているとし、荷重の分散や足底にかかるショック吸収、ウィンドラス機構によるアーチの巻き上げやテコ作用による体重移動が主な役割とされている。
【０００６】
しかしながら、従来のアーチ構造の考え方やその役割の認識は、足部の一部に対する考察であって、基本的な足部の機能性を考慮しているとはいえないものである。すなわち、人以外の類人猿では手も足も形状が似ており、足も手と同様にものを掴む動作を行うことができ、元来、人の足も手と同様にものを掴むキャッチング機能を有していたにも拘らず、人が二足歩行を行うようになり、足の構造が二足歩行に適するように進化するとともに、履物の誕生によって、かかるキャッチング機能の低下を引き起こしてきたものである。したがって、足の基本的な機能性を把握するには、元来有していた物を掴むという足の構造に立ち返って考察すべきである。
【０００７】
人の足部を解剖学的見地から考察すると、拇指と四指を寄せる動作と、ＭＰ関節からの屈曲動作とによって掴む動作ができるという構造が存在する。また、足底のしわを見ると拇指球横長軸方向に一番大きなしわが存在しており、かかるしわは手を見てもわかるよう機能的に曲がる部分に存在している。このことからも、人の足部の基本的な機能は、掴む動作にあり、上記した従来からの足部のアーチ概念も、かかる足部機能自体の基本概念をもとに考察すべきであって、この掴む動作の基礎となる立方骨骨端、楔立方関節部から第２、第３ＭＰ関節部を結ぶラインを機能的基本アーチとすべきである。上記した内側、外側縦アーチもこの基本アーチを頂として左右に存在することになり、この頂が無い状態ではこれらのアーチ構造も確立されないことになるからである。
【０００８】
外反母趾や扁平足などのアライメント異常や足部の機能障害についての解決策も、足部の基本が掴む構造と捉えるか単にバネの様に潰れる構造と捉えるかでは大きな差が生じる訳であり、足部の問題を根本から解決するためには、まず足部本来の掴むという機能、動作を促進する必要があり、従来の提案物はかかる基本的な機能と動作に基いて構成されているものではなかった。
【０００９】
そこで本発明は、上記した従来は注目されていなかった足部の立方骨骨端、楔立方関節部から第２、第３ＭＰ関節部を結ぶ機能的基本アーチラインの形成に基づいて基本動作が行えるようになることで、アライメント異常や機能障害を根本から解決することが期待できるとの観点からなされたものであり、かかるアーチの形成を調整、促進することができる履物中敷及び履物を提供することを課題とする。
【課題を解決するための手段】
【００１０】
上記課題を解決するために、本発明は次のように構成した。すなわち、本願発明の履物中敷は、立方骨端部の楔立方関節部近傍から第２中足骨と第３中足骨間のＭＰ関節部の基節骨近傍までの部位に当接し、当該部位を盛り上げてアーチ状に保持する隆起面が形成されるとともに、前記ＭＰ関節部に対してはＭＰ関節が嵌合する凹部が形成されてなることを特徴としている。
【００１１】
また、本願発明に係る履物は、立方骨端部の楔立方関節部近傍から第２中足骨と第３中足骨間のＭＰ関節部の基節骨近傍までの部位に当接し、当該部位を盛り上げてアーチ状に保持する隆起面が形成されるとともに、前記ＭＰ関節部に対してはＭＰ関節が嵌合する凹部が形成されてなる履物内底面を有することを特徴としている。
【発明の効果】
【００１２】
本発明によれば、足部の立方骨骨端、楔立方関節部から第２、第３ＭＰ関節部を結ぶ機能的基本アーチラインが形成されることで掴む動作が行えるようになり、歩行時における体重移動等に対して、荷重関節の機械的ストレスの軽減、走行時、立位時の機能改善を図ることができ、従来から問題視されている外反母趾や偏平足等のアライメント異常や足部の機能障害を根本的に解消することができる。
【発明を実施するための最良の形態】
【００１３】
本発明を実施するための一形態を、図面に基づいて具体的に説明する。図１は、本発明に係る中敷１の構成を示す平面図で、図２（１）（２）は、同じく正面図と側面図である。中敷１は、熱可塑性を有する樹脂材料でなるシート部材から構成されており、図示のように、その中央部に隆起面２が形成されており、この中敷１を履物内に装着すると、足部が中敷１に載置される際の状態を表す図３に示すように、足部の立方骨１０端部の楔立方関節部１１近傍から第２中足骨１２と第３中足骨１３間のＭＰ関節部１４の基節骨１５近傍までの部位に当接し、当該部位を盛り上げてアーチ状に保持するように形成されている。
【００１４】
この立方骨１０端部の楔立方関節部１１近傍から第２中足骨１２と第３中足骨１３間のＭＰ関節部１４の基節骨１５近傍までの部位は、従来の足部に形成されていると認識されている内側縦アーチ、外側縦アーチ、横アーチのバネの様に潰れる構造と捉えるアーチ構造とは異なり、ＭＰ関節から屈曲により掴む動作ができるという足の本来の基本構造として捉えたアーチを形成する部位と認識される個所である。
【００１５】
隆起面２は、図２に示すように、基節骨１５の接地面３と楔立方関節部１１の接地面４をそれぞれ端部とし、接地面３にはその端部側の出っ張りがＭＰ関節部１４に嵌合するための凹部５が形成されるとともに、この凹部５から後方の楔立方関節部１１の接地面４に向けてせりあがる傾斜面６として形成されている。この傾斜面６は、同図（ａ）に示すように、断面山型に盛り上がるように形成されており、足を中敷１に載置した際に、上記した部位のアーチを形作る形態に構成されている。
【００１６】
隆起面２は、かかるアーチを調整する目的で形成されているが、その基本形状と大きさの比率は、足部の機能解剖にしたがい平均的な実寸計算を行って比率化すると（筋ボリュームの考慮はなし）、図４に示す基準方法に基づいて決定されている。
【００１７】
図４において、隆起面２の先端となる第２中足骨１２と第３中足骨間１３のＭＰ関節部１４の基節骨１５近傍から踵骨祖面１６までの長さをＡとし、隆起面２の後端となる立方骨１０端部の楔立方関節部１１近傍から垂直にみた隆起高さをＢとすると、個々の足によってハイアーチや偏平足等のアライメントには違いがあるものの、数々のデータ取りに基づいて、Ａ：Ｂ＝３〜３０：１の比率が効果的であり、かかる比率によってそれぞれの足に応じた隆起面２を形成すればよい。例えば、足寸が２３ｃｍの場合には、Ａが約１５ｃｍ、Ｂが約２．５ｃｍであり、１５：２．５＝６：１となり、一般的な平均値として基準化できる。筋ボリュームを考慮すると、この高さＢは２．５ｃｍ以下となる。
【００１８】
このような隆起面２が形成された中敷１を履物の靴底に装着しておけば、従来のアーチ概念の基本ともなる足裏のアーチの調整や補強となり、この基本アーチ構造の回復を促進するので、歩行時における体重移動等に対して、荷重関節の機械的ストレスの軽減、走行時、立位時の機能改善を図ることができ、従来から問題視されている外反母趾や偏平足等のアライメント異常や足部の機能障害を根本的に解消することができる。
【００１９】
上記実施例では、中敷１における隆起面２を一体成形されたものとしているが、かかる隆起面２のみをシリコン、ウレタン、ゴム、天然樹脂、発泡スチロール、スポンジ等の弾力性を有する素材で形成し、既存の中敷に貼り付けるようにして構成することもできる。
【００２０】
また、上記実施の形態は、履物中敷として説明したが、図５に示すように、履物２０の内底面にも上記したように構成される隆起面２を形成することができる。履物そのものに、上記と同様の隆起面２を形成することにより、足部の基本アーチ構造の異常を調整でき、アーチの機能回復を図ることができ、全く同じ効果を発揮することができる。
【産業上の利用可能性】
【００２１】
本願発明は、中敷として既存の履物全般に適用できるように構成されるとともに、履物全般の足底部として応用でき、スリッパやサンダル等も適用対象となるが、さらに、靴下やストッキング、サポーター等の足底部の構造として適用でき、足部における最も基本的なアーチ構造を調整する目的で足裏と接する着衣にまで応用することができる。
【図面の簡単な説明】
【００２２】
【図１】本発明の実施例である中敷の構成を示す外観図である。
【図２】本発明の実施例である中敷の構成を示す正面図と側面図である。
【図３】足部が中敷に載置される際にどの部位に当接するかを示す図である。
【図４】隆起面の形成における比率設定を説明する図である。
【図５】履物として構成された実施例の構成を示す図である。
【図６】従来の足部のアーチ構造を説明する図である。
【符号の説明】
【００２３】
１  中敷
２  隆起面
３  基節骨の接地面
４  楔立方関節部の接地面
５  凹部
６  山型傾斜面
１０  立方骨
１１  楔立方関節部
１２  第２中足骨
１３  第３中足骨
１４  ＭＰ関節部
１５  基節骨
【図１】
0005211275.tif 000002
【図２】
0005211275.tif 000003
【図３】
0005211275.tif 000004
【図４】
0005211275.tif 000005
【図５】
0005211275.tif 000006
【図６】
0005211275.tif 000007